(57)【要約】【課題】掃除時に掃除機本体を支えるための把手としての機能と、掃除機本体運搬用の把手としての機能とを兼ね備えた把手を有する縦型電気掃除機を提供する。【解決手段】縦型電気掃除機１００は、把手２と、電動送風機１１を内部に収容する掃除機本体１と、把手２を支持するパイプ３とを備え、掃除機本体１は、パイプ３を固定する固定部材４０を有し、把手２の一部とパイプ３の一部とが掃除機本体１内に収容されてパイプ３が固定部材４０で固定された状態と、把手２とパイプ３の一部とが掃除機本体１から外に出てパイプ３が固定部材４０で固定された状態との間で把手２とパイプ３とは移動可能に設けられている。【選択図】図１
2007301260.tif 000002
【特許請求の範囲】
【請求項１】
把手と、
電動送風機を内部に収容する掃除機本体と、
前記把手を支持する支持部材とを備え、
前記掃除機本体は、前記支持部材を固定する固定部材を有し、
前記把手の一部と前記支持部材の一部とが前記掃除機本体内に収容されて前記支持部材が前記固定部材で固定された状態と、前記把手と前記支持部材の一部とが掃除機本体から外に出て前記支持部材が前記固定部材で固定された状態との間で前記把手と前記支持部材とは移動可能に設けられている、縦型電気掃除機。
【請求項２】
前記把手の表面に配置され、前記電動送風機の稼動と稼動停止とを切替可能な電源スイッチをさらに備える、請求項１に記載の縦型電気掃除機。
【請求項３】
前記電動送風機に外部から電力を供給するための電力供給コードが前記掃除機本体内に収容され、前記把手の一部と前記支持部材の一部とが前記掃除機本体内に収容されて前記支持部材が前記固定部材で固定された状態のとき、前記電力供給コードの引出口が前記把手の下に配置されている、請求項１または請求項２に記載の縦型電気掃除機。
【発明の詳細な説明】
【技術分野】
【０００１】
この発明は、一般的には縦型電気掃除機に関し、特定的には把手を有する縦型電気掃除機に関するものである。
【背景技術】
【０００２】
従来、縦型電気掃除機では、集塵室及び電動送風機を具備した掃除機本体の下側端部に吸込口が連結され、本体外側にホースを備えている。ホースは一端が掃除機本体内部の吸気通路に接続され、他端は取り外すことができる。掃除機本体下側の吸込口からの吸引によって床面の掃除を行うが、棚掃除や隙間掃除など掃除機本体下の吸込口からでは十分な吸引を行うことができない場合は、ホースの一端を本体から外して、ホースの先端あるいはホース先端に付属の小型ノズル等から外気を吸引し、掃除を行うことが可能である。
【０００３】
特開平５−１９９９４９号公報（特許文献１）の縦型電気掃除機では、本体に保持される伸縮可能な把手が設けられており、掃除や収納に応じて把手の高さを調節することが可能である。また、把手に掃除機本体の内部に収められた電動送風機のスイッチが配置されており、掃除機を移動操作する把手部分でスイッチ操作を行うことができる。
【特許文献１】特開平５−１９９９４９号公報
【発明の開示】
【発明が解決しようとする課題】
【０００４】
しかしながら、従来の構成では、把手を掃除機本体から支えるのは一本のパイプであるために、把手がぐらつきやすく、掃除機本体の運搬時にこの把手を用いることはできない。このため、掃除時に掃除機本体を支えるときには、掃除機本体から引き出して使用者の使いやすい高さにした把手を用い、掃除機本体を運搬するときには、掃除機本体に直接設けられている別の把手を用いる、というように、二つの別の把手を使い分ける必要がある。掃除機本体を運搬するときに用いる把手は掃除機本体の低い位置にあるので、移動の度に掃除機本体の把手に手が届く位置まで腰をかがめる必要がある。
【０００５】
そこで、この発明の目的は、掃除時に掃除機本体を支えるための把手としての機能と、掃除機本体運搬用の把手としての機能とを兼ね備えた把手を有する縦型電気掃除機を提供することである。
【課題を解決するための手段】
【０００６】
この発明に従った縦型電気掃除機は、把手と、電動送風機を内部に収容する掃除機本体と、把手を支持する支持部材とを備え、掃除機本体は、支持部材を固定する固定部材を有し、把手の一部と支持部材の一部とが掃除機本体内に収容されて支持部材が固定部材で固定された状態と、把手と支持部材の一部とが掃除機本体から外に出て支持部材が固定部材で固定された状態との間で把手と支持部材とは移動可能に設けられている。
【０００７】
把手と支持部材の一部とが掃除機本体から外に出た状態で把手の支持部材を掃除機本体に固定すると、把手が掃除機本体の上面よりも高い位置で固定される。このようにすることにより、掃除時に使用者が自然な立ち姿勢のまま、把手を手で保持することで掃除機本体を支えることができる。
【０００８】
一方、把手の一部が掃除機本体に収容された状態で把手の支持部材を掃除機本体に固定すると、把手の支持部材と掃除機本体とが把手の動きを妨げる。従来の掃除用の把手を手で持って掃除機本体を運搬するときには、把手は手の動きに合わせて前後左右に動くが、掃除機本体は重くて動きにくい。このため、把手の動きに掃除機本体の動きがついていかず、把手の動きと掃除機本体の動きとの間で、向きや速さにずれが生じることがある。このとき、掃除機本体から外に出ている把手を支えている支持部材が、従来の掃除機のように一本のパイプであると、パイプが把手と掃除機本体の動きのずれによって捻られ、運搬が困難になったり、把手やパイプ、掃除機本体が変形したり、破損したりする恐れがある。そこで、従来、掃除時に掃除機本体を支えるために用いている把手によって掃除機本体の運搬も行う場合には、把手を握った手を動かしたときに、把手の動きと掃除機本体の動きとの間でずれが生じにくいような構成を縦型掃除機に与える必要がある。把手の動きと掃除機本体の動きとの間でずれを生じにくくするために、把手の一部が掃除機本体内に収容された状態で支持部材を固定する。このようにすることにより、把手は支持部材と固定部材とによって掃除機本体に固定され、さらに掃除機本体が把手の周りを取り囲む壁となる。このため、把手の動きは掃除機本体と支持部材とによって制限されるので、把手の動きと掃除機本体の動きとの間で、向きや速さに差異が生じにくい。したがって、把手を持って掃除機本体を運搬するときに、把手や支持部材に無理な力がかかり、把手や支持部材が捻られて変形することなどを防ぐことができる。
【０００９】
このようにすることにより、一つの把手が、掃除時に掃除機本体を支えるための把手としての機能と、掃除機本体運搬用の把手としての機能とを兼ね備えることができる。
【００１０】
この発明に従った縦型電気掃除機は、把手の表面に配置され、電動送風機の稼動と稼動停止とを切替可能な電源スイッチをさらに備えることが好ましい。
【００１１】
このようにすることにより、掃除機本体に手が届く位置まで腰をかがめることなしに、手元のスイッチで電動送風機の稼動と稼動停止とを切り替えることができる。
【００１２】
この発明に従った縦型電気掃除機は、電動送風機に外部から電力を供給するための電力供給コードが掃除機本体内に収容され、把手の一部と把手を支える支持部材の一部とが掃除機本体に収容されて、支持部材が固定部材で固定された状態のとき、電力供給コードの引出口が把手の下に配置されていることが好ましい。
【００１３】
このようにすることにより、把手を用いて掃除機を運搬し、腰をかがめることなくそのままの姿勢でコードを引出口から引き出し、掃除を開始することができる。このように、腰をかがめずに掃除機の運搬から掃除開始までの操作を行うことが可能であるため、使いやすい、使用していて疲れのない縦型掃除機を提供することができる。
【発明の効果】
【００１４】
以上のように、この発明によれば、掃除時に掃除機本体を支えるための把手としての機能と、掃除機本体運搬用の把手としての機能とを兼ね備えた把手を有する縦型電気掃除機を提供することができる。
【発明を実施するための最良の形態】
【００１５】
以下、この発明の実施の形態を図面に基づいて説明する。
【００１６】
図１は、この発明の一つの実施の形態として、縦型掃除機の全体を示す図である。図１の（Ａ）は縦型掃除機の概略的な全体を示す、一部が断面の側面図、図１の（Ｂ）は縦型掃除機の背面図である。図１の（Ｂ）中のＨは、地面２００から電源プラグ１４の引出口１５の中心までの高さを示す。
【００１７】
図１に示すように、縦型掃除機１００は、掃除機本体１と、把手２と、把手２を支えるとともに把手２に固着された支持部材としてのパイプ３とを備える。掃除機本体１は、内部に、電動送風機１１と、電動送風機１１に外部から電力を供給するための電力供給コード１６と、電力供給コード１６を巻き取るためのコードリール１３と、集塵室１２と、吸気通路１６０と、吸込口８と、パイプ３を掃除機本体１に固定する固定部材４０とを有する。また、固定部材４０を介してパイプ３の固定と固定解除とを切替可能な把手固定スイッチ４１が掃除機本体１の上面に配置されている。把手２の上面には、電動送風機１１の稼動と稼動停止とを切替可能な電源スイッチ１７が配置されている。電力供給コード１６の先端である電源プラグ１４は、掃除機本体１の引出口１５に置かれ、電源プラグ１４を引くことで、電力供給コード１６を掃除機本体１から外部に引き出すことができる。
【００１８】
吸気通路１６０は、下からの吸気通路１６１と、上からの吸気通路１６２と、下からの吸気通路１６１と上からの吸気通路１６２との連結部である導入口１６３とから構成されている。導入口１６３は、下からの吸気通路１６１と上からの吸気通路１６２とを集塵室１２へ連通する。吸込口８では、地面２００付近から外気を吸引し、吸引された外気は下からの吸気通路１６１と導入口１６３を通って掃除機本体１内の集塵室１２へと運ばれる。上からの吸気通路１６２は、一端が導入口１６３と接続しているが、他端がホース７の一端と接続している。ホース７の他端は、回動部６を介して延長管５に連結されている。
【００１９】
延長管５は、外側延長管５１と、内側延長管５２とを含む。内側延長管５２の先端には、可動ブラシ９が取り付けられている。掃除機本体１の上からの吸気通路１６２とホース７の一端が接続し、ホース７の他端と外側延長管５１の一端が接続し、外側延長管５１の他端と内側延長管５２の一端が接続し、内側延長管５２の他端と可動ブラシ９が接続している。
【００２０】
図２は、把手の一部が掃除機本体内に収容されて固定された状態を示す。
【００２１】
図２に示すように、把手２の上部２ａは掃除機本体１の上面から上に出ているので、手で握ることができる。一方、把手２の下部２ｂは掃除機本体１内に収容されている。把手２はパイプ３によって支えられ、パイプ３の固定と固定解除は把手固定スイッチ４１で切り替えられる。把手２の上面には、電動送風機１１の稼動と稼動停止とを切り替え可能な電源スイッチ１７が設けられている。
【００２２】
このように、把手２の一部である下部２ｂが掃除機本体１内に収容されることで、掃除機本体１が把手２を取り囲む壁の役目をする。したがって、把手２の動きは掃除機本体１によって妨げられる。把手２の上部２ａを手で握って掃除機本体１を運搬する場合、手の動きに合わせて把手２が前後左右に振られようとしても、掃除機本体１が壁となるので、把手２は掃除機本体１に取り囲まれた範囲内でしか動くことができない。このようにすることにより、把手２が掃除機本体１から大きく離れて動いたり、把手２やパイプ３が捻られて破損したりすることを防ぐことができる。このように把手２の下部２ｂが収容された状態でパイプ３を固定すると、把手２の上部２ａを持って掃除機本体１を運搬することができる。把手２の上部２ａは掃除機本体１の上面から外に出ているので、把手２を掃除機本体１の運搬時に用いることで、腰をかがめることなく掃除機本体１を運搬することができる。
【００２３】
図３は、把手が掃除機本体から引き出された状態を示す図である。
【００２４】
図３に示すように、把手２は掃除機本体１から引き出すことができ、また引き出した状態で固定することができる。把手固定スイッチ４１を押してパイプ３を固定解除にすると、パイプ３の上部に固定された把手２を掃除機本体１から自由に引き出したり、収納したりすることができる。
【００２５】
このようにすることにより、掃除時には把手２を使用者の使い勝手に合わせて適切な高さに調節することで、掃除機本体１を持ち上げることなく、腕に負担をかけずに掃除機本体１の姿勢を維持することが可能である。
【００２６】
このようにすることにより、一つの把手が、掃除時に掃除機本体を支えるための把手としての機能と、掃除機本体運搬用の把手としての機能とを兼ね備えることができる。すなわち、掃除時には把手２を使用者が適切な高さまで引き出して固定し、手で保持することで、使用者が自然な立ち姿勢のままで掃除機本体１を支えることができる。掃除機本体１を運搬するときには、把手の下部２ｂを掃除機本体１の内部に収容することで、把手２を用いて掃除機本体１を運搬しても、把手２や把手２を支持するパイプ３に無理な力がかかり把手２が捻られて変形することなどを防ぐことができる。また、掃除機本体１に手が届く位置まで使用者が腰をかがめることなしに、手元の電源スイッチ１７で掃除機本体１の稼動と稼動停止とを切り替えることができる。
【００２７】
またこのようにすることにより、縦型掃除機１００を収納するときには把手２の下部２ｂを掃除機本体１内に収容して固定し、縦型掃除機１００全体の体積を小さくして収納することができる。縦型掃除機１００を運搬するときには、把手２の下部２ｂを掃除機本体１内に収容した状態で運搬することができるので、把手２と掃除機本体１とが一体化することによって見た目にもすっきりし、把手２の周りの視認性が向上する。
【００２８】
図４は、把手を支えるパイプと、パイプを本体に固定する固定部材との関係を模式的に示す図である。
【００２９】
図４の（Ａ）および（Ｂ）はパイプ３を掃除機本体１に固定した状態を示し、（Ｃ）および（Ｄ）はパイプ３の固定を解除して自由に上下に動かすことのできる状態を示す。
【００３０】
図４の（Ａ）は、パイプ３が固定部材４０によってある高さで掃除機本体１に固定されている状態を示す。図４の（Ａ）のＢ−Ｂ線の方向から見た断面を図４の（Ｂ）に示す。図４の（Ｃ）は、把手固定スイッチ４１を下向きに押したときの状態を示す。図４の（Ｄ）は、図４の（Ｃ）をＤ−Ｄ線の方向から見た断面図である。
【００３１】
図４の（Ａ）から（Ｄ）に示すように、固定部材４０は、滑り部材４０１と、ばね４０２と、パイプガイド４０３と、ピン４０４と、ばね４０６とから構成されている。パイプ３は、パイプガイド４０３の中を通っている。把手固定スイッチ４１を押すと、固定部材４０とパイプ３との係合が解除され、パイプ３は上下に自由に動くことができるようになる。パイプ３の上部には把手２（図２、図３）が固着されているので、このとき、パイプ３の上部に固着されている把手２を手で持って把手２の高さを変えることができる。把手固定スイッチ４１を離すと、固定部材４０がパイプ３と係合して、パイプ３が掃除機本体１に固定される。
【００３２】
パイプガイド４０３は掃除機本体１に固定されており、枠状で、パイプ３がパイプガイド４０３の中を通っている。パイプガイド４０３の内側の一つの面には、ばね４０６の一端が取り付けられている。ばね４０６の他端は、パイプガイド４０３の中を通っているパイプ３の外周面に接している。パイプ３の外周面に対向するパイプガイド４０３の内側面のうち、一方の内側面には、ばね４０６が取り付けられているが、反対側の内側面にはピン４０４が取り付けられている。ピン４０４はパイプガイド４０３の内側に向かって突出している。パイプガイド４０３において、ばね４０６が取り付けられている箇所の外側の面４０７は、滑り部材４０１と向かい合うように配置され、滑り部材４０１と接している。滑り部材４０１は、掃除機本体１に固定されたばね４０２によって支えられている。また、滑り部材４０１は掃除機本体１と斜面４０８で接している。滑り部材４０１には、把手固定スイッチ４１が載せられて固定されている。
【００３３】
以下、パイプ３の固定と固定解除の機構を説明する。
【００３４】
図４の（Ａ）に示すように、把手固定スイッチ４１の上部は掃除機本体１の上面から外部に出ており、手で触れることができる。
【００３５】
図４の(Ａ)および（Ｂ）に示すように、パイプガイド４０３のピン４０４がパイプ３の穴４０５に入り込んで、パイプ３がパイプガイド４０３に固定されている。パイプガイド４０３は、掃除機本体１に固定されている。したがって、パイプ３は掃除機本体１に固定されている。図３に示すように、パイプ３に把手２が固着されているので、把手２もある高さで固定されている。
【００３６】
穴４０５は、パイプ３の異なる高さ位置に複数個、形成されている。異なる高さ位置の穴４０５にピン４０４を差し込むことで、把手２の高さを調節し、その高さで固定することができる。
【００３７】
図４の（Ｃ）および（Ｄ）に示すように、把手固定部材４１を下向きに押すと、滑り部材４０１が斜面４０８を滑り、滑り部材４０１に押されてパイプガイド４０３が動き、パイプ３の穴４０５に入り込んでいたピン４０４が穴４０５から抜けて、パイプ３とパイプガイド４０３との係合が外れる。このようにして、パイプ３は掃除機本体１への固定が解除され、自由に上下に動かすことができるようになる。
【００３８】
このようにして、把手固定スイッチ４１を操作することで、パイプ３の固定と固定解除とを切り替え、把手２を自由に上下させたり、ある高さで固定したりすることができる。
【００３９】
図５は、把手と把手を支えるパイプの内部を示す断面図である。
【００４０】
図５に示すように、把手２はパイプ３に固着されている。把手２の上部には電源スイッチ１７が配置されている。電源スイッチ１７は、パイプ３の内部を通るカールリード線１８を通じて、電動送風機１１と電気的に接続されている。カールリード線１８は、カールシャフト１９に巻きついている。パイプ３の固定を解除して、把手２の高さを変化させているとき、カールリード線１８はカールシャフト１９に巻きついたままで伸び縮みする。
【００４１】
このようにすることにより、掃除中に掃除機本体１の位置まで腰をかがめなくとも、手元の把手２に配置された電源スイッチ１７を用いて掃除機本体１の内部に収められた電動送風機１１の稼動と稼動停止とを切り替えることができる。
【００４２】
すでに図１に示したように、掃除機本体１には下からの吸気通路１６１と上からの吸気通路１６２の二通りの吸気通路がある。上からの吸気通路１６２は、ホース７に連通しており、ホース７には延長管５が取り付けられている。
【００４３】
図１に実線で示すように、延長管５は、内側延長管５２を外側延長管５１の内側に収容し、さらに回動軸６を中心にして折りたたんで、掃除機本体１の外側に収容することができる。延長管５をこのように折りたたんで収容すると、内側延長管５２に接続されている可動ブラシ９が差込口１０に収まる。可動ブラシ９が差込口１０に収容されている場合、可動ブラシ９の吸込口が塞がれて、可動ブラシ９からは外気を吸引することができない。このとき、外気は吸込口８からのみ吸引される。吸込口８で吸引された吸気は、下からの吸気通路１６１、導入口１６３を通って集塵室１２へと運ばれる。また、この場合、吸気通路が下からの吸気通路１６１の一経路となるため、電動送風機１１に供給する電力が同じでも吸込口８の吸引力が大きくなり、ごみの吸い込み力が向上する。
【００４４】
一方、可動ブラシ９を差込口１０から外すと、可動ブラシ９からも外気の吸引を行うことができる。掃除機本体１内にある集塵室１２へ導かれる吸気通路１６０を、下からの吸気通路１６１と、上からの吸気通路１６２の二経路にすることで、可動ブラシ９を本体の差込口１０から取り外したときに可動ブラシ９の先端からごみを吸い込むことが可能となる。また、このように吸気通路を二経路に分散させることで、吸引時の風切音の低減効果が得られる。
【００４５】
図１に示すように、実線で示した状態から二点鎖線の上体へ延長管を伸ばして高所の掃除をすることができる。回動部６を中心に延長管５を回転させて、可動ブラシ９を差込口１０から外し、延長管５全体を掃除機本体１から引き出す。次に内側延長管５２を外側延長管５１から引き出す。このようにすることにより、掃除機本体１は地面２００上に置いたまま、把手２を手でささえながら高所の掃除をすることができる。延長管５の長さは、数段階に調節することができる。
【００４６】
図１に一点鎖線で示すように、さらに回動部６を掃除機本体１から取り外し、ホース７を伸ばすことで、ベッドの下の奥など、高さはないが吸込口８からの吸引では掃除が不十分になる所も容易に掃除することができる。
【００４７】
このように、延長管５の長さを調節することで、掃除機本体１を使用者の傍らに置いて把手２を持って支えながら、棚の上やベッドの下の奥のような、掃除機本体１の下に設けられた吸込口８からの吸引ができない場所でも、可動ブラシ９からの吸引によって掃除することができる。
【００４８】
図６は、延長管と、延長管の長さを固定する延長管ロックボタンとの関係を模式的に示す図である。
【００４９】
図６に示すように、外側延長管５１の内部に内側延長管５２の一部が納められている。内側延長管５２は外側延長管５１から引き出すことができる。外側延長管５１の内側延長管５２側の端部には、延長管ロックボタン５３が、軸５４によって回動可能に外側延長管５１に固定されている。延長管ロックボタン５３は、ばね５５によって外向き方向に付勢されている。延長管ロックボタン５３の一方端部には操作部が配置され、他方端部にはピン５６が固定されている。延長管ロックボタン５３の操作部が、ばね５５により外側延長管５１の外側に付勢されることによって、ピン５６を内側延長管５２の凹部５７にはめ込むことで、内側延長管５２と外側延長管５１とが連結固定される。また、延長管ロックボタン５３の操作部を外側延長管５１側に向かって押して、延長管ロックボタン５３を回動させて、ピン５６を内側延長管５２の凹部５７から抜くことで、内側延長管５２と外側延長管５１との連結固定状態が解かれ、内側延長管５２を外側延長管５１から引き出したり、外側延長管５１内に押し入れたりすることができる。内側延長管５２の凹部５７は内側延長管５２の端から異なる三つの距離に合計三箇所あり、外側延長管５１から引き出す内側延長管５２の長さを三段階に調節できる。
【００５０】
図７は、縦型掃除機を使用して掃除を行っている状態を示す図である。
【００５１】
図７に示すように、縦型掃除機１００は、使用者３００が立ち姿勢で、把手２を用いて掃除機本体１を支えながら掃除を行うことができる。高所や隙間の掃除の際には、片手で延長管５の回動軸６付近を握り、延長管５やホース７を伸ばし、もう片方の手で把手２を握って掃除機本体１の姿勢を保持するので、掃除機本体１を地面に置いたままで、掃除機本体１から離れた場所の掃除もできる。延長管５を伸ばして高所を掃除する際にも、掃除機本体１は地面に置いたままで、把手２の高さを調節して片手で掃除機本体１を支えることができるので、腕が疲れずに掃除ができる。さらに、把手２に電源スイッチが配置されているので、片手で把手２を握ったままで電動送風機１１の運転を切り替えることができる。
【００５２】
さらに、図３から理解されるように、把手２が掃除機本体１内に収容された状態では、電力供給コード１６の電源プラグ１４を引き出す引出口１５が、把手２の下に配置される。
【００５３】
縦型掃除機１００は、把手２を収容した状態での掃除機本体１の高さが６００ｍｍ〜８００ｍｍの範囲となるように構成されている。電力供給コード１６を巻き取ったコードリール１３は、掃除機本体１内部に、把手２と平行な向きに配置している。電源プラグ１４の引出口１５の地面２００からの高さＨ（図１）は、従来の縦型掃除機よりも高い５００〜６００ｍｍの範囲の高さとしている。引出口１５は、掃除機本体１において、後ろ向きに、つまりホース７や吸込口８と反対の面に配置され、把手２の下部２ｂを掃除機本体１内に収容すると、把手２のすぐ下に引出口１５が位置する。
【００５４】
このようにすることにより、把手２の下部２ｂを掃除機本体１内に収容し、把手２を手で握って縦型掃除機１００を運搬した後、使用者が腰をかがめることなく、そのままの姿勢で電力供給コード１６の電源プラグ１４を引出口１５から引き出して、掃除を開始することができる。このように、使用者が腰をかがめずに掃除機の運搬から掃除開始までの操作を行うことが可能であるため、使いやすい、使用していて疲れのない縦型掃除機を提供することができる。
【００５５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００５６】
【図１】本発明の一つの実施の形態として、縦型掃除機を示す図である。（Ａ）は、縦型掃除機の概略的な全体の側面図、（Ｂ）は（Ａ）を左側から見た背面図である。
【図２】把手の一部が掃除機本体内に収容されて固定された状態を示す図である。
【図３】把手が掃除機本体から引き出された状態を示す図である。
【図４】把手を支えるパイプと、パイプを本体に固定する固定部材との関係を模式的に示す図である。
【図５】把手と、把手を支えるパイプの内部を示す図である。
【図６】延長管と、延長管の長さを固定する延長管ロックボタンとの関係とを模式的に示した図である。
【図７】縦型掃除機を使用して掃除を行っている状態を示す図である。
【符号の説明】
【００５７】
１：掃除機本体、１：把手、３：パイプ、１１：電動送風機、１６：電力供給コード、１４：電源プラグ、１５：電源コード引出口、１７：電源スイッチ、４０：固定部材。
【図１】
2007301260.tif 000003
【図２】
2007301260.tif 000004
【図３】
2007301260.tif 000005
【図４】
2007301260.tif 000006
【図５】
2007301260.tif 000007
【図６】
2007301260.tif 000008
【図７】
2007301260.tif 000009